(57)【要約】【課題】本体に記録媒体を装填しなくても、前記記録媒体の状態を確認することができるようにする。【解決手段】動画像の記録媒体であるフラッシュメモリカード１１１に無線タグ１１１ａを設けるとともに、無線タグ１１１ａから情報を読み取るタッチエリア２０３をデジタルビデオカメラの側面領域に設けることにより、フラッシュメモリカード１１１に関する情報を、タッチエリア２０３を介してデジタルビデオカメラに読ませるようにして、デジタルビデオカメラの本体にフラッシュメモリカード１１１を装填しなくても、フラッシュメモリカード１１１の状態を確認することができるようにする。【選択図】      図２
2004201233.tif 000002
【特許請求の範囲】
【請求項１】
記録媒体と、前記記録媒体に関する識別情報を保持した保持手段とを一体的に備えた記憶デバイスに対して情報信号を記録する記録装置であって、
前記保持手段に保持された前記識別情報を非接触で読み出す読み出し手段と、前記読み出し手段により読み出された識別情報に基づき、前記記録媒体に対して前記情報信号の記録が可能か否かを判別し、この判別結果に応じた情報を表示するように表示手段を制御する制御手段とを備えることを特徴とする記録装置。
【発明の詳細な説明】
【０００１】
【発明の属する技術分野】
本発明は、記録装置に関し、特に、脱着可能な記録媒体に情報信号を記録するために用いて好適なものである。
【０００２】
【従来の技術】
近年、テープ媒体に対して動画を記録したり再生したりする機能の他に、脱着可能なフラッシュメモリカード等の記録媒体に対して、静止画を記録したり再生したりする機能を有するデジタルビデオカメラが出てきている。
【０００３】
このようなデジタルビデオカメラでは、メモリカード撮影モードなどのモードにて取り込んだ静止画を、JPEG等で圧縮して前記フラッシュメモリカードに記録するようにする。
【０００４】
この他、テープ媒体に記録されている動画のうちから１フレームを静止画として取り出し、取り出した静止画をJPEG等で圧縮して前記フラッシュメモリカードに記録することが出来る場合も多い。
【０００５】
この様に、デジタルビデオカメラに脱着可能なフラッシュメモリカードに対して、画像データを記録したり再生したりする従来の技術としては、以下の特許文献１に記載されている技術が知られている。
【０００６】
【特許文献１】
特開２００２−１８２９５７号公報
【０００７】
【発明が解決しようとする課題】
ところで、前記フラッシュメモリカードは、高価なために最終的な保存のための媒体ではなく、画像データの記録、再生、及び消去を繰り返して使われることが多い。そのため、前記フラッシュメモリカードは、空き容量や記録内容が頻繁に変化する。
【０００８】
しかしながら、前述した従来の技術では、前記フラッシュメモリカードの空き容量や記録内容を知るには、デジタルビデオカメラの本体に前記フラッシュメモリカードを装着し、再生を実行してみなければならなかった。
【０００９】
このため、多数のフラッシュメモリカードの状態を知るのは、非常に手間がかかる。したがって、例えば、急いで録画を行いたい状況で空き容量の多いフラッシュメモリカードを選び出したりする場合に、ユーザに対して不都合を強いることがあった。
【００１０】
このように、従来の技術では、記録媒体を本体に装填しなければ、前記記録媒体が使用可能であるか否かを確認することが困難であるという問題点があった。
【００１１】
また、従来のデジタルビデオカメラでは、記録媒体が装填されていたり、稼働していたりしていると、他の記録媒体の内容を知ることが困難であった。
【００１２】
このため、例えば、複数の記録媒体にわたって映像を記録する場合には、各記録媒体が記録済みの媒体か、それとも未記録の媒体かを判別することが困難であった。特に、各記録媒体における記録内容の前後関係が分からなくなってしまった場合には、ユーザに対して不都合を強いることがあった。
【００１３】
また、現在、前記フラッシュメモリカードは、様々なフォーマットのものが乱立しており、各フォーマットに対応したメモリスロットを持つビデオカメラやデジタルスチルカメラが出てきている。
【００１４】
しかしながら、これら異なるフォーマットのフラッシュメモリカードは、互換性がないためにユーザに不便を強いる場合があった。
【００１５】
これを解決するために、フォーマットの形式が異なる複数種類のフラッシュメモリカードを装填できるように、各フォーマットの形式に対応した複数種類のメモリスロットを持つデジタルビデオカメラも発売されている。
【００１６】
しかしながら、このようなデジタルビデオカメラのメモリスロットに、前記フラッシュメモリカードを装填する場合、誤って他のフォーマット用のメモリスロットに前記フラッシュメモリカードを挿填してしまう虞があった。
【００１７】
本発明は以上の問題点に鑑みてなされたものであり、本体に記録媒体を装填しなくても、前記記録媒体が使用できるものであるか否かを確認することができるようにすることを第１の目的とする。
【００１８】
また、本体に記録媒体が装填されている場合でも、他の記録媒体が使用できるものであるか否かを確認することができるようにすることを第２の目的とする。
【００１９】
また、本体に記録媒体が誤装填されることを可及的に防止することを第３の目的とする。
【００２０】
【課題を解決するための手段】
本発明の記録装置は、記録媒体と、前記記録媒体に関する識別情報を保持した保持手段とを一体的に備えた記憶デバイスに対して情報信号を記録する記録装置であって、前記保持手段に保持された前記識別情報を非接触で読み出す読み出し手段と、前記読み出し手段により読み出された識別情報に基づき、前記記録媒体に対して前記情報信号の記録が可能か否かを判別し、この判別結果に応じた情報を表示するように表示手段を制御する制御手段とを備えることを特徴としている。
かかる構成では、記憶デバイスに情報信号を記録することが出来るか否かを、非接触で判別し、その判別結果をユーザが視認できるように表示する。
【００２１】
【発明の実施の形態】
（第１の実施の形態）
次に、本発明の記録装置の第１の実施の形態を、図面を用いて詳細に説明する。なお、本実施の形態では、記録装置としてデジタルビデオカメラを例に挙げて説明する。
【００２２】
図１は、本実施の形態のデジタルビデオカメラの構成の一例を示したブロック図である。
同図において、１０１は被写体像を取り込む撮影レンズである。１０２は後述の撮像素子に入力される被写体像の光量を制御する絞りである。１０３は、取り込んだ被写体像を画像信号に変換する撮像素子である。
【００２３】
１０４は前記画像信号をサンプルホールドし、適正な信号レベルにするCDS/AGCである。１０５は、前記CDS/AGC１０４からの画像信号をA/D変換し、デジタル信号処理を行うデジタル信号処理回路である。１０６は、デジタル信号処理回路１０５からの生データを１フレーム分ずつ蓄積するフレームメモリである。
【００２４】
１０７は、前記フレームメモリ１０６の画素を後述のＤＶ方式で記録することが出来るように、画素数を調整する画素数調整回路である。なお、本実施の形態では、撮影レンズ１０１、絞り１０２、撮像素子１０３、CDS/AGC１０４、デジタル信号処理回路１０５、フレームメモリ１０６、及び画素数調整回路１０７をカメラヘッド１０１ａと総称する。
【００２５】
１０８は、カメラヘッド１０１ａ、MPEG/JPEGコーデック１０９、NTSCエンコーダ１１４、及びメインマイコン１１９間で画像データが行き来する画像バスである。
【００２６】
１０９は、動画像の画像データをMPEG方式にて圧縮/伸長するとともに、静止画像の画像データをJPEG方式にて圧縮/伸長するMPEG/JPEGコーデックである。
【００２７】
１１０は、前記MPEG/JPEGコーデック１０９により圧縮されたMPEG圧縮画像データまたはJPEG圧縮画像データを記録するリムーバブルディスクである。１１１は、前記MPEG/JPEGコーデック１０９により圧縮されたMPEG圧縮画像データまたはJPEG圧縮画像データを記録する無線タグ付きフラッシュメモリカードである。
【００２８】
１１２は、再生モード時には、MPEG/JPEGコーデック１０９から画像バス１０８を通じて入力された再生画像データに基づく画像を表示するとともに、撮影時には、カメラヘッド１０１ａから画像バス１０８を通じて入力されたスルー画を表示する液晶ディスプレイである。
【００２９】
１１３は、前記液晶ディスプレイ１１２を駆動する液晶ドライバである。１１４は、液晶ディスプレイ１１２に表示されている画像と同一の画像をアナログ化し、ビデオ出力端子１１５に出力するNTSCエンコーダである。
【００３０】
１１６は、フラッシュメモリカード１１１に内蔵されている無線タグのＩＤ情報を読み取る無線タグ読み取り装置である。１１７は、無線タグ読み取り装置１１６で読み取られた無線タグのＩＤ情報を記録するタグデータメモリである。
【００３１】
１１９は無線タグ読み取り装置１１６で読み取られた無線タグのＩＤ情報を解析したり、モードダイヤル１２０の状態を読んで機器全体のモードを制御したりするメインマイコン１１９である。また、このメインマイコン１１９は、前記無線タグのＩＤ情報の解析結果をインジケータ１２１に表示したり、操作キー１１８の状態を読んで各種機能の実行を制御したりする。
【００３２】
図２は、本実施の形態のデジタルビデオカメラの概要の一例を示す外観図である。
同図において、無線タグ付きディスク（リムーバルディスク１１０）が差し込まれるディスクスロット２０１の周りと、無線タグ付きメモリカード（無線タグ付きフラッシュメモリカード１１１）が差し込まれるカードスロット２０２の周りには、ＬＥＤにより構成される前記インジケータ１２１ａ、１２１ｂが配設されている。
【００３３】
また、デジタルビデオカメラの側面の所定領域には、タッチエリア２０３が設けられている。無線タグ付きメモリカード（無線タグ付きフラッシュメモリカード１１１）が、このタッチエリア２０３に軽く触れたり、ごく近傍に近づいたりすると、無線タグ読み取り装置１１６により、無線タグ付きメモリカード（無線タグ付きフラッシュメモリカード１１１）のＩＤ情報が読み取られるように構成されている。
【００３４】
次に、図３のフローチャートを参照しながら、上記のような構成を有する本実施の形態のデジタルビデオカメラの撮影(CAMERA)モードにおける記録時の動作を説明する。
【００３５】
まず、ステップＳ３００において、図１に示したモードダイヤル１２０が「CAMERA」にセットされると、撮影を行うモードであるカメラモードで電源が投入される。
【００３６】
次に、ステップＳ３０１ｐにおいて、所定の操作が行われると前記MPEG/JPEGコーデック１０９は、メインマイコン１１９による制御に従って、フラッシュメモリカード１１１への動画像の記録動作を開始する。
【００３７】
次に、ステップＳ３０２ｐにおいて、所定の終了動作が行われると、MPEG/JPEGコーデック１０９は、メインマイコン１１９による制御に従って、前記動画像の記録動作を終了する。
【００３８】
その後、ステップＳ３０３ｐにおいて、メインマイコン１１９は、前記動画像の記録を行ったフラッシュメモリカード１１１の残り容量を測定する。
次に、ステップＳ３０４ｐにおいて、前記フラッシュメモリカード１１１にユニークに付けられたＩＤ情報と、ステップＳ３０３ｐで測定されたフラッシュメモリカード１１１の残り容量とを関連付けて、前記タグデータメモリ１１７に記録する。
【００３９】
このようなステップＳ３００ｐからステップＳ３０４ｐまでの処理により、本実施の形態のデジタルビデオカメラを用いて画像を記録したことのあるフラッシュメモリカード１１１に関する情報がタグデータメモリ１１７に記録される。
【００４０】
具体的には、フラッシュメモリカード１１１に固有のＩＤ情報と、フラッシュメモリカード１１１の残り容量と、フラッシュメモリカード１１１に記録したファイルの種類（JPEG/MPEG等）とが、タグデータメモリ１１７内のデータベースに記録される。
【００４１】
また、ユーザは、操作キー１１８を操作することで、撮影した各ファイルや、リムーバブルディスク１１０や、フラッシュメモリカード１１１に対して、再生プロテクト処理を施すことが可能である。そして、この再生プロテクトの有無を示すデータもタグデータメモリ１１７に記録されるようにする。
【００４２】
次に、図４のフローチャートを参照しながら、本実施の形態のデジタルビデオカメラにおける特徴的な動作である無線タグを用いた動作を説明する。
【００４３】
まず、ステップＳ３００において、図１に示したモードダイヤル１２０が「CAMERA」にセットされると、撮影を行うモードであるカメラモードで電源が投入される。
【００４４】
次に、ステップＳ３０１において、図１に示した無線タグ読み取り装置１１６により、無線タグ１１１ａが近傍に接近しているか否かの検出を開始する。
【００４５】
次に、ステップＳ３０２において、ユーザがフラッシュメモリカード１１１を図２に示したタッチエリア２０３に軽く触れさせるかまたはごく近傍に近づけると、無線タグ読み取り装置１１６は、フラッシュメモリカード１１１に付いている無線タグ１１１ａの存在を検出する。
このステップＳ３０１とステップＳ３０２の動作は、無線タグ１１１ａの存在が検出されるまで継続的に行われる。
【００４６】
次に、ステップＳ３０３において、無線タグ読み取り装置１１６は、非接触のままフラッシュメモリカード１１１固有のＩＤ情報を読み取る。そして、メインマイコン１１９は、無線タグ読み取り装置１１６で読み取られたＩＤ情報と、前記タグデータメモリ１１７内のデータベースに記録されたＩＤ情報とを比較する。
【００４７】
そして、ステップＳ３０４において、メインマイコン１１９は、ステップＳ３０３における比較結果に基づいて、無線タグ読み取り装置１１６で読み取られたフラッシュメモリカード１１１が、タグデータメモリ１１７に登録されているか否かを確認する。すなわち、このステップＳ３０４では、無線タグ読み取り装置１１６で読み取られたＩＤ情報と同じＩＤ情報が、前記タグデータメモリ１１７内のデータベースに記録されているか否かを確認する。
【００４８】
この確認の結果、無線タグ読み取り装置１１６で読み取られたフラッシュメモリカード１１１が、タグデータメモリ１１７に登録されている場合には、ステップＳ３０５に進み、メインマイコン１１９は、前記確認したＩＤ情報と対応付けられてタグデータメモリ１１７内のデータベースに記録されているフラッシュメモリカード１１１の残り容量に関するデータから、フラッシュメモリカード１１１の残量データを検出する。
【００４９】
そして、ステップＳ３０６、Ｓ３０８において、メインマイコン１１９は、フラッシュメモリカード１１１の残量を評価する。すなわち、ステップＳ３０６、Ｓ３０８では、フラッシュメモリカード１１１の残量が、それぞれ第１の所定値及び第２の所定値以上であるか否かを判定して、フラッシュメモリカード１１１の残量を評価する。
なお、本実施の形態では、動画像をMPEG4にて圧縮しているが、画質の設定に応じて、高画質モードは128kbps、低画質モードは96kbpsで記録を行っている。
【００５０】
また、上記ステップＳ３０６、Ｓ３０８における評価で用いる第１の所定値と、第２の所定値は、それぞれ１０分の動画像を記録できる残量に対応する値と、３分の動画像を記録できる残量に対応する値である。
【００５１】
具体的に説明すると、本実施の形態の高画質モードにおける第１の所定値は、１０（分）×６０（秒）×１２８／８（キロバイト/秒）＝９８００（キロバイト）＝約９．８（メガバイト）である。また、第２の所定値は、３（分）×６０（秒）×１２８／８（キロバイト/秒）＝２８８０（キロバイト）＝約２．９（メガバイト）である。
【００５２】
一方、低画質モードでの第１の所定値は、１０（分）×６０（秒）×９６／８（キロバイト/秒）＝７２００（キロバイト）＝約７．２（メガバイト）である。また、第２の所定値は、３（分）×６０（秒）×９６／８（キロバイト/秒）＝２１６０（キロバイト）＝約２．１６（メガバイト）である。
【００５３】
以上の所定値を用いてステップＳ３０６、Ｓ３０８にてフラッシュメモリカード１１１の残量を評価し、残量が第１の所定値以上あれば（ステップＳ３０６のＹＥＳ）、ステップＳ３０７に進み、メインマイコン１１９は、カードスロット２０２の周りに設けたインジケータ１２１ｂを緑色に点灯させる。
【００５４】
これにより、ユーザは、タッチエリア２０３に近づけられたフラッシュメモリカード１１１が、使用可能であることを確認することができるとともに、前記フラッシュメモリカード１１１をカードスロット２０２に装填すればよいということを確認することができる。
【００５５】
残量が第２の所定値以上で第１の所定値未満であれば（ステップＳ３０８のＹＥＳ）、ステップＳ３０９に進み、メインマイコン１１９は、インジケータ１２１ｂを橙色に点灯させる。
【００５６】
これにより、ユーザは、タッチエリア２０３に近づけたフラッシュメモリカード１１１が、十分な容量を有してはいないけれども、一応使用可能であることを確認することができるとともに、前記フラッシュメモリカード１１１をカードスロット２０２に装填すればよいということを確認することができる。
【００５７】
残量が第２の所定値より少ない場合には（ステップＳ３０８のＮＯ）、ステップＳ３１０に進み、メインマイコン１１９は、インジケータ１２１ｂを赤色に点灯させる。
【００５８】
これにより、ユーザは、タッチエリア２０３に近づけたフラッシュメモリカード１１１が、記録に必要な容量を有しておらず、使用不可であることを確認することができるとともに、前記フラッシュメモリカード１１１は、カードスロット２０２に装填するものであるということを確認することができる。
【００５９】
また、前記ステップＳ３０３、Ｓ３０４において、図２に示したタッチエリア２０３に軽く触れさせるか、またはごく近傍に近づけられた前記フラッシュメモリカード１１１が、前記タグデータメモリ１１７に登録されていないと判断された場合には、ステップＳ３１１に進み、メインマイコン１１９は、インジケータ１２１を赤色に点滅させる。
【００６０】
これにより、ユーザは、タッチエリア２０３に近づけたフラッシュメモリカード１１１が、デジタルビデオカメラで記録したことのないものであるということを確認することができる。
【００６１】
次に、図５のフローチャートを参照しながら、本実施の形態のデジタルビデオカメラの再生(PLAY)モードにおける動作を説明する。
【００６２】
まず、ステップＳ４００において、前記図１に示したモードダイヤル１２０が「PLAY」にセットされると、前記フラッシュメモリカード１１１に記録されたデータの再生を行うモードである再生モードで電源が投入される。
【００６３】
次に、ステップＳ４０１において、図１に示した無線タグ読み取り装置１１６により、タッチエリア２０３の近傍に無線タグ１１１ａが接近しているか否かの検出を開始する。
【００６４】
次に、ステップＳ４０２において、ユーザが、フラッシュメモリカード１１１を図２に示したタッチエリア２０３に軽く触れさせるかまたはごく近傍に近づけると、無線タグ読み取り装置１１６は、フラッシュメモリカード１１１に付いている無線タグの存在を検出する。
このステップＳ４０１とステップＳ４０２の動作は、無線タグ１１１ａの存在が検出されるまで継続的に行われる。
【００６５】
次に、ステップＳ４０３において、無線タグ読み取り装置１１６は、非接触のままフラッシュメモリカード１１１に固有のＩＤ情報を読み取る。そして、メインマイコン１１９は、無線タグ読取装置１１６で読み取られたＩＤ情報と、前記タグデータメモリ１１７内のデータベースに記録されたＩＤ情報とを比較する。
【００６６】
そして、ステップＳ４０４において、メインマイコン１１９は、ステップＳ４０３における比較結果に基づいて、無線タグ読み取り装置１１６で読み取られたフラッシュメモリカード１１１が、タグデータメモリ１１７に登録されているか否かを確認する。すなわち、このステップＳ４０４では、無線タグ読み取り装置１１６で読み取られたＩＤ情報と同じＩＤ情報が、前記タグデータメモリ１１７内のデータベースに記録されているか否かを確認する。
【００６７】
この確認の結果、無線タグ読み取り装置１１６で読み取られたフラッシュメモリカード１１１が、タグデータメモリ１１７に登録されている場合には、ステップＳ４０５に進み、メインマイコン１１９は、前記確認したＩＤ情報と対応付けられてタグデータメモリ１１７内のデータベースに記録されているデータの中から、コンテンツのインデックスデータを検出する。
【００６８】
そして、ステップＳ４０６において、メインマイコン１１９は、ステップＳ４０５で検出したコンテンツのインデックスデータを読み取り、再生可能なコンテンツがあるか否かを検証する。
【００６９】
ここで、コンテンツが再生可能であるか否かは、タグデータメモリ１１７に記憶されているファイルの種類が、本実施の形態のデジタルビデオカメラにて再生可能なファイルの種類であるか否かを検出することで判別する。
また、タグデータメモリ１１７にプロテクトデータが記憶されていた場合には、再生可能なファイルの種類であっても再生不能であると判別する。
【００７０】
前記ステップＳ４０６における判定の結果、再生可能なコンテンツがあれば、ステップＳ４０７に進み、メインマイコン１１９は、インジケータ１２１ｂを緑色に点灯させる。
【００７１】
これにより、ユーザは、タッチエリア２０３に近づけたフラッシュメモリカード１１１には、デジタルビデオカメラで再生可能なコンテンツが記録されていることを確認することができるとともに、前記フラッシュメモリカード１１１をカードスロット２０２に装填して前記コンテンツを再生すればよいということを確認することができる。
【００７２】
一方、再生可能なコンテンツがない場合には、ステップＳ４０８に進み、インジケータ１２１ｂを赤色に点灯させる。
【００７３】
これにより、ユーザは、タッチエリア２０３に近づけたフラッシュメモリカード１１１には、デジタルビデオカメラで再生可能なコンテンツが記録されていないということを確認することができる。
【００７４】
また、前記ステップＳ４０３、Ｓ４０４において、図２に示したタッチエリア２０３に軽く触れさせるか、またはごく近傍に近づけた前記フラッシュメモリカード１１１が、前記タグデータメモリ１１７に登録されていないと判断された場合は、ステップＳ４０９において、メインマイコン１１９は、インジケータ１２１を赤色に点滅させる。
【００７５】
このように、本実施の形態では、動画像の記録媒体であるフラッシュメモリカード１１１に無線タグ１１１ａを設けるとともに、上記無線タグから情報を読み取るタッチエリア２０３をデジタルビデオカメラの側面領域に設けるようにしたので、フラッシュメモリカード１１１の情報を、タッチエリア２０３を介してデジタルビデオカメラに読ませることができる。
【００７６】
したがって、本実施の形態のように、動画像の記録終了時に、上記無線タグのＩＤ情報と、フラッシュメモリカード１１１の残り容量に関する情報と、フラッシュメモリカード１１１に記録したファイルの種類とを読み取ってこれらを関連付けてデジタルビデオカメラ内のデータベースに記録しておくようにすれば、フラッシュメモリカード１１１をカードスロット２０２から取り外した後であっても、フラッシュメモリカード１１１をタッチエリア２０３に近づけるだけで、フラッシュメモリカード１１１の記録内容や状態（残り容量）を判断することができるようになる。
【００７７】
さらに、本実施の形態のように、フラッシュメモリカード１１１の残り容量や、フラッシュメモリカード１１１に記録されているファイルの種類に応じてインジケータ１２１の表示方法を異ならせるようにすれば、ユーザは、従来のように、フラッシュメモリカード１１１をデジタルビデオカメラに装着しなくてもフラッシュメモリカード１１１の記録内容や状態（残り容量）を知ることができる。これにより、ユーザは、急いで録画を行いたい状況下であっても、空き容量の多いフラッシュメモリカード１１１を容易且つ迅速に選び出すことができる。
【００７８】
言い換えると、本実施の形態では、記録メディア（リムーバルディスク１１０、フラッシュメモリカード１１１）をデジタルビデオカメラ本体に装填することなく、記録メディアの使用の可否が分かるので、記録メディアを緊急に使用したいというユーザの要求や、多数の記録メディアの中から空き容量のあるメディアだけを迅速に分類したいというユーザの要求に応えることができる。
【００７９】
なお、本実施の形態では、無線タグ付きフラッシュメモリカード１１１について説明を行ったが、図２に示した無線タグ付きディスク（無線タグ１１０ａを備えたリムーバルディスク１１０）についても、上述した図３〜図５の操作及び動作を行うことで、記録内容や状態を知ることができる。
【００８０】
ただし、無線タグ付きフラッシュメモリカード１１１を用いた際はカードスロット２０２側のインジケータ１２１ｂを発光させるようにするが、無線タグ付きディスク（リムーバルディスク１１０）を用いた場合には、ディスクスロット２０１側のインジケータ１２１ａを発光させて、それぞれのメディアに関係するスロット２０１、２０２が光るようにし、ユーザに該当するスロット２０１、２０２の場所を知らせることができるようにする。
【００８１】
このように、本実施の形態では、記録メディア（リムーバルディスク１１０、フラッシュメモリカード１１１）をタッチエリア２０３に近づけると、その記録メディアに適した挿入口をインジケータ１２１ａ、１２１ｂによって明示するようにしているので、記録メディアが誤装填されてしまうことを可及的に防止することができる。
【００８２】
（第２の実施の形態）
次に、本発明の第２の実施の形態を図面を用いて説明する。なお、本実施の形態においても、記録装置としてデジタルビデオカメラを例に挙げて説明する。
【００８３】
本実施形態のデジタルビデオカメラの構成を示すブロック図は、図１に示した第１の実施の形態のデジタルビデオカメラのブロック図と同様であるので、同一の部分については図１で付した符号と同一の符号を付して詳細な説明を省略する。
【００８４】
図６は、本実施の形態のデジタルビデオカメラの概要の一例を示す外観図である。なお、図６において、図２に示した第１の実施の形態のデジタルビデオカメラと同一の部分については図２で付した符号と同一の符号を付して詳細な説明を省略する。
【００８５】
同図において、本実施の形態のデジタルビデオカメラは、カードスロット２０２の周りに装着されたインジケータ１２１ｂと、デジタルビデオカメラ本体の側面の所定領域に装着されたインジケータ１２１ｃとを有している。このインジケータ１２１ｃも、インジケータ１２１ｂと同様にＬＥＤにより構成される。
【００８６】
次に、図７のフローチャートを参照しながら上記のような構成を有する本実施の形態のデジタルビデオカメラの撮影(CAMERA)モードにおける記録時の動作を説明する。なお、図７では、複数の記録メディアにわたる記録を行う場合の動作について説明する。
【００８７】
まず、ステップＳ６００ｐにおいて、図１に示したモードダイヤル１２０が「CAMERA」にセットされると、撮影を行うモードであるカメラモードで電源が投入される。
【００８８】
次に、ステップＳ６０１ｐにおいて、メインマイコン１１９は、複数の記録メディアの番号（以下、メディア番号と称する）を示すメディア番号カウンタをクリアして０にする。
【００８９】
次に、ステップＳ６０２ｐは、メインマイコン１１９は、記録メディア（フラッシュメモリカード１１１）がカードスロット２０２に挿入されたことをMPEG/JPEGコーデック１０９からの信号に基づいて検出する。
【００９０】
その後、所定の操作が行われると、ステップＳ６０３ｐに進み、MPEG/JPEGコーデック１０９は、メインマイコン１１９による制御に従って、フラッシュメモリカード１１１への動画像の記録動作を開始する。
【００９１】
次に、ステップＳ６０４ｐにおいて、所定の終了動作が行われると、MPEG/JPEGコーデック１０９は、メインマイコン１１９による制御に従って、前記動画像の記録動作を終了する。
【００９２】
その後、動画像の記録の開始や終了を何回か行ってフラッシュメモリカード１１１を利用した後、ステップＳ６０５ｐに進み、メインマイコン１１９は、操作キー１１８の操作内容に従ってフラッシュメモリカード１１１の取り出し操作が行われたことを検出する。
【００９３】
次に、ステップＳ６０６ｐにおいて、メインマイコン１１９は、上記メディア番号カウンタをカウントする。これにより、上記メディア番号が１つ足される（カウント値を１つ上げる）。
【００９４】
次に、ステップＳ６０７ｐにおいて、メインマイコン１１９は、ステップＳ６０６ｐでカウントされたメディア番号を、記録を行っていたフラッシュメモリカード１１１のＩＤ情報と関連付けてタグデータメモリ１１７内のデータベースに記録する。
【００９５】
次に、ステップＳ６０８ｐにおいて、メインマイコン１１９は、フラッシュメモリカード１１１をカードスロット２０２から排出する。そして、電源がＯＦＦされていなければ、ステップＳ６０２ｐに戻り、電源がＯＦＦされるまで、ステップＳ６０２ｐからＳ６０８ｐまでの処理を繰り返す。
【００９６】
そして、電源がＯＦＦされると、ステップＳ６０９ｐにおいて、処理を終了する。
【００９７】
このようなステップＳ６００ｐからステップＳ６０９ｐまでの処理により、本実施の形態のデジタルビデオカメラを用いて画像を記録したことのあるフラッシュメモリカード１１１に関する情報がタグデータメモリ１１７に記録される。
【００９８】
具体的には、フラッシュメモリカード１１１に固有のＩＤ情報と、上記メディア番号とが、タグデータメモリ１１７内データベースに記録される。
【００９９】
なお、本実施形態では、電源が投入されたときに前記メディア番号がクリアされ、電源がON/OFFされるごとに別グループの記録メディアとして扱うようにする。
【０１００】
次に、図８のフローチャートを参照しながら、本実施の形態のデジタルビデオカメラにおける特徴的な動作である無線タグを用いた動作を説明する。この図８のフローチャートにおいては、フラッシュメモリカードが映像記録中の状態であっても、別のフラッシュメモリカード１１１の状態が分かるようにする点に特徴がある。
【０１０１】
まず、ステップＳ６００において、図１に示したモードダイヤル１２０が「CAMERA」にセットされると、撮影を行うモードであるカメラモードで電源が投入される。
【０１０２】
次に、ステップＳ６０１において、メインマイコン１１９は、上述した図７のステップＳ６０２ｐと同様にして、フラッシュメモリカード１１１がカードスロット２０２に挿入されたことを検出すると、ステップＳ６０２において、上述した図７のステップＳ６０３ｐと同様にして、動画像の記録動作を開始する。
【０１０３】
そして、本実施の形態のデジタルビデオカメラでは、この動画像の記録動作と同時に、無線タグ１１１ａの検出を行う。具体的に説明すると、ステップＳ６０３において、無線タグ読み取り装置により、タッチエリア２０３の近傍に無線タグ１１１ａが接近しているか否かの検出を開始する。
【０１０４】
次に、ステップＳ６０４において、ユーザがフラッシュメモリカード１１１を図２に示したタッチエリア２０３に軽く触れさせるかまたはごく近傍に近づけると、無線タグ読み取り装置１１６は、フラッシュメモリカード１１１に付いている無線タグ１１１ａの存在を検出する。
このステップＳ６０３とステップＳ６０４の動作は、無線タグ１１１ａの存在が検出されるまで継続的に行われる。
【０１０５】
次に、ステップＳ６０５において、無線タグ読み取り装置１１６は、フラッシュメモリカード１１１に固有のＩＤ情報を非接触で読み取る。そして、メインマイコン１１９は、無線タグ読取装置１１６で読み取られたＩＤ情報と、前記タグデータメモリ１１７内のデータベースに記録されたＩＤ情報とを比較する。
【０１０６】
そして、ステップＳ６０６において、メインマイコン１１９は、ステップＳ６０５における比較結果に基づいて、無線タグ読み取り装置１１６で読み取られたフラッシュメモリカード１１１が、タグデータメモリ１１７に登録されているか否かを確認する。すなわち、このステップＳ６０６では、無線タグ読み取り装置１１６で読み取られたＩＤ情報と同じＩＤ情報が、前記タグデータメモリ１１７内のデータベースに記録されているか否かを確認する。
【０１０７】
この確認の結果、無線タグ読み取り装置１１６で読み取られたフラッシュメモリカード１１１が、タグデータメモリ１１７に登録が確認されている場合には、ステップＳ６０７に進み、メインマイコン１１９は、前記確認したＩＤ情報と対応付けられてタグデータメモリ１１７内のデータベースに記録されているデータの中から、メディア番号を検出する。
【０１０８】
次に、ステップＳ６０８に進み、メインマイコン１１９は、ステップＳ６０７で検出されたメディア番号が、前記映像記録中のフラッシュメモリ１１１に対するメディア番号より前の番号であるか否かを判定する。
【０１０９】
この判定の結果、ステップＳ６０７で検出されたメディア番号が、前記映像記録中のフラッシュメモリ１１１に対するメディア番号より前の番号である場合には、ステップＳ６０９に進み、メインマイコン１１９は、前記デジタルビデオカメラの側面に設けられたインジケータ１２１ｃを点灯させ、タッチエリア２０３に近づけられたフラッシュメモリ１１１が、前記映像記録中のフラッシュメモリカードよりも前に記録されたものであることを示す。
【０１１０】
一方、ステップＳ６０７で検出されたメディア番号が、前記映像記録中のフラッシュメモリ１１１に対するメディア番号より前の番号でない場合には、タッチエリア２０３に近づけられたフラッシュメモリカード１１１は、前回に連続記録されていた媒体である可能性がある。したがって、ステップＳ６１０において、メインマイコン１１９は、カードスロット２０２の周りに設けられたインジケータ１２１を赤色に点滅させ、タッチエリア２０３に近づけたフラッシュメモリ１１１が記録不可なものであることを示す。
【０１１１】
また、前記ステップＳ６０６において、タッチエリア２０３に近づけられたフラッシュメモリカード１１１が、前記タグデータメモリ１１７に登録されていないと判断された場合には、ステップＳ６１１に進み、メインマイコン１１９は、カードスロット２０２の周りに設けられたインジケータ１２１を緑色に点滅させ、タッチエリア２０３に近づけられたフラッシュメモリ１１１が新品であることを示す。
【０１１２】
以上のように、本実施の形態では、タッチエリア２０３に近づけられたフラッシュメモリカード１１１のメディア番号をタッチエリア２０３から読み取り、映像を記録している最中のフラッシュメモリカードのメディア番号と比較し、その比較結果に応じた表示を行うようにしたので、タッチエリア２０３に近づけられたフラッシュメモリカード１１１に記録されている映像と、デジタルビデオカメラに装填されているフラッシュメモリカードに記録している映像とに関連があるか否かをユーザに分からせるようにするとともに、関連がある場合には、その前後関係についてもユーザに分からせるようにすることができる。
【０１１３】
したがって、複数のフラッシュメモリカードで映像を記録するような場合に、映像を記録したばかりのフラッシュメモリカードに誤って映像を上書きしてしまうなどのミスを可及的に防止することができる。
【０１１４】
なお、本実施の形態では、記録メディア（フラッシュメモリカード１１１）の記録の履歴をメディア番号で管理するようにしたが、メディアＩＤごとのタイムスタンプのデータベースを前記タグデータメモリ１１７に作成し、記録メディアの記録の履歴を記録時刻によって管理する方式としても良い。
【０１１５】
また、本実施の形態では、フラッシュメモリカード１１１が記録媒体であるが、上述した第１の実施の形態のごとく、ディスクメディアに無線タグ１１０ａを装着したもの（リムーバルディスク１１０）でシステムを組むことも可能である。
【０１１６】
さらに、本実施の形態では、ある記録メディアに映像を記録している最中に、別の記録メディアの状態や、記録中の記録メディアと別の記録メディアとの関連が容易且つ確実に分かるようにする構成としたが、ある記録メディアに記録されている映像を再生している最中に、別の記録メディアの状態や、再生中の記録メディアと別の記録メディアとの関連が分かるようにする構成を加えるようにしてもよい。
【０１１７】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【０１１８】
また、この場合、前記ソフトウェアのプログラムコード自体が上述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１１９】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【０１２０】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行ない、その処理によって上述した実施形態の機能が実現される場合にも本発明に含まれることは言うまでもない。
【０１２１】
本発明の実施態様の例を以下に列挙する。
（実施態様１）  記録媒体と、前記記録媒体に関する識別情報を保持した保持手段とを一体的に備えた記憶デバイスに対して情報信号を記録する記録装置であって、前記保持手段に保持された前記識別情報を非接触で読み出す読み出し手段と、前記読み出し手段により読み出された識別情報に基づき、前記記録媒体に対して前記情報信号の記録が可能か否かを判別し、この判別結果に応じた情報を表示するように表示手段を制御する制御手段とを備えることを特徴とする記録装置。
【０１２２】
（実施態様２）  前記記録媒体に関する識別情報と、前記記録媒体の記録残量情報とを、前記記憶デバイスごとに対応付けて記憶するメモリを備え、前記制御手段は、前記読み出し手段により読み出された識別情報に対応して前記メモリに記憶されている記録残量情報を、前記メモリより読み出し、読み出した記録残量情報に基づいて、前記情報信号の記録が可能か否かを判別することを特徴とする実施態様１に記載の記録装置。
【０１２３】
（実施態様３）  前記制御手段は、前記記録媒体の記録残量に対応した所定の情報を表示するように前記表示手段を制御することを特徴とする実施態様２に記載の記録装置。
【０１２４】
（実施態様４）  前記制御手段は、前記記録媒体の記録残量に応じて異なる色の情報を表示するように前記表示手段を制御することを特徴とする実施態様３に記載の記録装置。
【０１２５】
（実施態様５）  単位時間あたりに記録する前記情報信号の情報量が異なる複数の記録モードを有し、前記制御手段は、前記記録モードと前記記録媒体の記録残量とに応じて、前記情報信号の記録が可能か否かを判別することを特徴とする実施態様２〜４の何れか１態様に記載の記録装置。
【０１２６】
（実施態様６）  前記制御手段は、前記読み出し手段により読み出された識別情報が、前記メモリに記憶されていない場合に、その旨を示す情報を表示するように前記表示手段を制御することを特徴とする実施態様２〜５の何れか１態様に記載の記録装置。
【０１２７】
（実施態様７）  前記記憶デバイスの挿入口の近傍に前記表示手段を設けたことを特徴とする実施態様１〜６の何れか１態様に記載の記録装置。
【０１２８】
（実施態様８）  前記制御手段は、前記記録媒体に対する前記情報信号の記録動作に伴い、前記記録媒体に関する識別情報と、前記記録媒体の記録残量情報とを対応付けて前記メモリに書き込むことを特徴とする実施態様２〜７の何れか１態様に記載の記録装置。
【０１２９】
（実施態様９）  前記記録媒体に関する識別情報と、前記記録媒体に記録された情報信号の属性に関する情報とを、前記記憶デバイスごとに対応付けて記憶するメモリを備え、前記制御手段は、前記読み出し手段により読み出された識別情報に対応して前記メモリに記憶されている前記情報信号の属性に関する情報を、前記メモリより読み出し、読み出した情報信号の属性に関する情報に基づいて、前記情報信号の記録が可能か否かを判別することを特徴とする実施態様１に記載の記録装置。
【０１３０】
（実施態様１０）  前記情報信号の属性に関する情報は、前記情報信号を記録した時間に関連する情報であることを特徴とする実施態様９に記載の記録装置。
【０１３１】
（実施態様１１）  前記情報信号は、映像信号であることを特徴とする実施態様１〜１０の何れか１態様に記載の記録装置。
【０１３２】
（実施態様１２）  前記記憶デバイスが装填される装填部を複数設けるとともに、前記複数の装填部に対応させて前記表示手段を複数設け、前記制御手段は、前記読み出し手段により読み出された識別情報に基づき、記憶デバイスを識別し、識別した記憶デバイスが装填される装填部に対応した表示手段に、前記判別結果に応じた情報を表示することを特徴とする実施態様１〜１１の何れか１態様に記載の記録装置。
【０１３３】
（実施態様１３）  記録媒体と、前記記録媒体に関する識別情報を保持した保持手段とを一体的に備えた記憶デバイスから情報信号を再生する再生装置であって、前記保持手段に保持された前記識別情報を非接触で読み出す読み出し手段と、前記読み出し手段により読み出された識別情報に基づき、前記記録媒体からの前記情報信号を再生することが可能か否かを判別し、この判別結果に応じた情報を表示するように表示手段を制御する制御手段とを備えることを特徴とする再生装置。
【０１３４】
（実施態様１４）  前記記録媒体に関する識別情報と、前記記録媒体に記録された情報信号に関する付加情報とを、前記記憶デバイスごとに対応付けて記憶するメモリを備え、前記制御手段は、前記読み出し手段により読み出された識別情報に対応して前記メモリに記憶されている付加情報を、前記メモリより読み出し、読み出した付加情報に基づいて、前記情報信号の再生が可能か否かを判別することを特徴とする実施態様１３に記載の再生装置。
【０１３５】
（実施態様１５）  前記付加情報は、前記情報信号の種類を示す情報を含み、前記制御手段は、前記識別情報に対応して前記メモリに記憶されている前記情報信号の種類を示す情報に基づいて、前記情報信号の種類が、再生可能な種類であるか否かを判別することを特徴とする実施態様１４に記載の再生装置。
【０１３６】
（実施態様１６）  前記付加情報は、前記情報信号が再生プロテクト処理されているか否かを示す情報を含み、前記制御手段は、前記識別情報に対応して前記メモリに記憶されている前記再生プロテクト処理されているか否かを示す情報に基づいて、前記情報信号が再生プロテクト処理されているか否かを判別することを特徴とする１４または１５に記載の再生装置。
【０１３７】
（実施態様１７）  前記制御手段は、前記情報信号が再生可能か否かに応じて異なる色の情報を表示するように前記表示手段を制御することを特徴とする１４〜１６の何れか１態様に記載の再生装置。
【０１３８】
（実施態様１８）  前記制御手段は、前記読み出し手段により読み出された識別情報が、前記メモリに記憶されていない場合に、その旨を示す情報を表示するように前記表示手段を制御することを特徴とする実施態様１４〜１７の何れか１態様に記載の再生装置。
【０１３９】
（実施態様１９）  前記記憶デバイスの挿入口の近傍に前記表示手段を設けたことを特徴とする１３〜１８の何れか１態様に記載の再生装置。
【０１４０】
（実施態様２０）  前記記録媒体に関する識別情報と、前記記録媒体に記録された情報信号の属性に関する情報とを、前記記憶デバイスごとに対応付けて記憶するメモリを備え、前記制御手段は、前記読み出し手段により読み出された識別情報に対応して前記メモリに記憶されている前記情報信号の属性に関する情報を、前記メモリより読み出し、読み出した情報信号の属性に関する情報に基づいて、前記情報信号の再生が可能か否かを判別することを特徴とする実施態様１３に記載の再生装置。
【０１４１】
（実施態様２１）  前記情報信号の属性に関する情報は、前記情報信号を記録した時間に関連する情報であることを特徴とする実施態様２０に記載の再生装置。
【０１４２】
（実施態様２２）  前記情報信号は、映像信号であることを特徴とする実施態様１３〜２１の何れか１態様に記載の再生装置。
【０１４３】
（実施態様２３）  前記記憶デバイスが装填される装填部を複数設けるとともに、前記複数の装填部に対応させて前記表示手段を複数設け、前記制御手段は、前記読み出し手段により読み出された識別情報に基づき、記憶デバイスを識別し、識別した記憶デバイスが装填される装填部に対応した表示手段に、前記判別結果に応じた情報を表示することを特徴とする実施態様１３〜２２の何れか１態様に記載の再生装置。
【０１４４】
（実施態様２４）  記録媒体と、前記記録媒体に関する識別情報を保持した保持手段とを一体的に備えた記憶デバイスに対して情報信号を記録し、前記記録した情報信号を再生する記録再生装置であって、前記保持手段に保持された前記識別情報を非接触で読み出す読み出し手段と、前記情報信号を記録する記録モードと、前記記録した情報信号を再生する再生モードとの間で、モードを設定するモード設定手段と、前記読み出し手段により読み出された識別情報と、前記モード設定手段により設定されたモードとに基づき、前記記録媒体に対する前記情報信号の記録、あるいは再生が可能か否かを判別し、この判別結果に応じた情報を表示するよう表示手段を制御する制御手段とを備えることを特徴とする記録再生装置。
【０１４５】
（実施態様２５）  映像情報を記録する記録手段と、記録媒体識別情報を保持する識別情報保持手段とを有する映像記録媒体から、前記記録媒体識別情報を非接触にて読み取る識別情報読み取り手段と、前記映像記録媒体に映像を記録する映像記録モードと、前記映像記録媒体に記録された映像を再生する映像再生モードとの少なくとも２つのモードで動作制御を行う制御手段とを有する映像記録再生装置であって、前記識別情報読み取り手段は、前記映像記録媒体が所定の部位に接近された場合に、前記記録媒体識別情報を読み取り、前記制御手段は、前記識別情報読み取り手段により読み取られた記録媒体識別情報に基づいて、前記所定の部位に接近された映像記録媒体の使用の可否を判断し、その判断結果に応じた情報を表示手段に表示することを特徴とする映像記録再生装置。
【０１４６】
（実施態様２６）  前記記録媒体識別情報は、前記記録媒体の空き容量に関する空き容量情報を含み、前記制御手段は、前記映像記録モードで稼働しているときに、前記識別情報読み取り手段により前記記録媒体識別情報が読み取られた場合には、前記記録媒体識別情報に含まれている前記空き容量情報に基づいて、前記所定の部位に接近された映像記録媒体の空き容量が所定値以上であるか否かを判断し、前記空き容量が所定値以上であった場合に、前記映像記録媒体が使用可であることを示す情報を前記表示手段に表示することを特徴とする実施態様２５に記載の映像記録再生装置。
【０１４７】
（実施態様２７）  前記映像情報を前記映像記録媒体に記録する際の画質を段階的に設定する画質設定手段を有し、前記空き容量の所定値を、前記画質設定手段による設定内容に応じて異ならせるようにしたことを特徴とする実施態様２６に記載の映像記録再生装置。
【０１４８】
（実施態様２８）  前記記録媒体識別情報は、前記映像情報の再生に関する再生情報を含み、前記制御手段は、前記映像再生モードで稼働しているときに、前記識別情報読み取り手段により前記記録媒体識別情報が読み取られた場合には、前記記録媒体識別情報に含まれている前記再生情報に基づいて、前記所定の部位に接近された映像記録媒体が再生可能であるか否かを判断し、再生可能である場合に、前記映像記録媒体が使用可であることを示す情報を前記表示手段に表示することを特徴とする実施態様２６または２７に記載の映像記録再生装置。
【０１４９】
（実施態様２９）  映像情報を記録する記録手段と、記録媒体識別情報を保持する識別情報保持手段とを有する映像記録媒体から、前記記録媒体識別情報を非接触にて読み取る識別情報読み取り手段と、前記映像記録媒体に映像を記録する映像記録モードと、前記映像記録媒体に記録された映像を再生する映像再生モードとの少なくとも２つのモードで動作制御を行う制御手段とを有する映像記録再生装置であって、前記識別情報読み取り手段は、前記映像記録媒体が所定の部位に接近された場合に、前記記録媒体識別情報を読み取り、前記制御手段は、前記映像記録媒体が装填されている状態で、前記識別情報読み取り手段により、別の映像記録媒体に関する記録媒体識別情報が読み取られた場合、読み取られた記録媒体識別情報に基づいて、前記装填されている前記映像記録媒体に対する記録画像または再生画像と共に、前記所定の部位に接近された別の映像記録媒体の内容を示す情報を表示手段に表示することを特徴とする映像記録再生装置。
【０１５０】
（実施態様３０）  映像情報を記録する記録手段と、記録媒体識別情報を保持する識別情報保持手段とを有する映像記録媒体から、前記記録媒体識別情報を非接触にて読み取る識別情報読み取り手段と、前記映像記録媒体に映像を記録する映像記録モードと、前記映像記録媒体に記録された映像を再生する映像再生モードとの少なくとも２つのモードで動作制御を行う制御手段とを有する映像記録再生装置であって、前記識別情報読み取り手段は、前記映像記録媒体が所定の部位に接近された場合に、前記記録媒体識別情報を読み取り、前記制御手段は、前記映像記録媒体が装填されている状態で、前記識別情報読み取り手段により、別の映像記録媒体に関する記録媒体識別情報が読み取られた場合、読み取られた記録媒体識別情報に基づいて、前記装填されている映像記録媒体と、前記所定の部位に接近された別の映像記録媒体との関連を示す関連情報を表示手段に表示することを特徴とする映像記録再生装置。
【０１５１】
（実施態様３１）  前記関連情報は、前記映像情報を記録した時間に関連する情報であることを特徴とする実施態様３０に記載の映像記録再生装置。
【０１５２】
（実施態様３２）  前記表示手段は、前記映像記録媒体の挿入口の近傍に設置されていることを特徴とする実施態様２５〜３１の何れか１態様に記載の映像記録再生装置。
【０１５３】
（実施態様３３）  前記映像記録媒体が装填される装填部を複数設けるとともに、前記複数の装填部に対応させて前記表示手段を複数設け、前記制御手段は、前記識別情報読み取り手段により読み取られた識別情報に基づいて、前記映像記録媒体を識別し、識別した映像記録媒体が装填される装填部に対応した表示手段に、前記判別結果に応じた情報を表示することを特徴とする実施態様２５〜３２の何れか１態様に記載の映像記録再生装置。
【０１５４】
（実施態様３４）  記録媒体と、前記記録媒体に関する識別情報を保持した保持手段とを一体的に備えた記憶デバイスに対して情報信号を記録する記録方法であって、前記保持手段に保持された前記識別情報を非接触で読み出す読み出し処理と、前記読み出し処理により読み出された識別情報に基づき、前記記録媒体に対して前記情報信号の記録が可能か否かを判別し、この判別結果に応じた情報を表示するように表示手段を制御する制御処理とを行うことを特徴とする記録方法。
【０１５５】
（実施態様３５）  前記制御処理は、前記記録媒体に関する識別情報と、前記記録媒体の記録残量情報とを、前記記憶デバイスごとに対応付けてメモリに書き込み、前記読み出し処理により読み出された識別情報に対応して前記メモリに記憶されている記録残量情報を、前記メモリより読み出し、読み出した記録残量情報に基づいて、前記情報信号の記録が可能か否かを判別することを特徴とする実施態様３４に記載の記録方法。
【０１５６】
（実施態様３６）  前記制御処理は、前記記録媒体の記録残量に対応した所定の情報を表示するように前記表示手段を制御することを特徴とする実施態様３５に記載の記録方法。
【０１５７】
（実施態様３７）  前記制御処理は、前記記録媒体の記録残量に応じて異なる色の情報を表示するように前記表示手段を制御することを特徴とする実施態様３６に記載の記録方法。
【０１５８】
（実施態様３８）  単位時間あたりに記録する前記情報信号の情報量が異なる複数の記録モードを設定する記録モード設定処理を行い、前記制御処理は、前記記録モード設定処理により設定された記録モードと前記記録媒体の記録残量とに応じて、前記情報信号の記録が可能か否かを判別することを特徴とする実施態様３５〜３７の何れか１態様に記載の記録方法。
【０１５９】
（実施態様３９）  前記制御処理は、前記読み出し処理により読み出された識別情報が、前記メモリに記憶されていない場合に、その旨を示す情報を表示するように前記表示手段を制御することを特徴とする実施態様３５〜３８の何れか１態様に記載の記録方法。
【０１６０】
（実施態様４０）  前記制御処理は、前記記憶デバイスの挿入口の近傍に設けられた表示手段を制御することを特徴とする実施態様３４〜３９の何れか１態様に記載の記録方法。
【０１６１】
（実施態様４１）  前記制御処理は、前記記録媒体に対する前記情報信号の記録動作に伴い、前記記録媒体に関する識別情報と、前記記録媒体の記録残量情報とを対応付けて前記メモリに書き込むことを特徴とする実施態様３５〜４０の何れか１態様に記載の記録方法。
【０１６２】
（実施態様４２）  前記制御処理は、前記記録媒体に関する識別情報と、前記記録媒体に記録された情報信号の属性に関する情報とを、前記記憶デバイスごとに対応付けてメモリに書き込み、前記読み出し処理により読み出された識別情報に対応して前記メモリに記憶されている前記情報信号の属性に関する情報を、前記メモリより読み出し、読み出した情報信号の属性に関する情報に基づいて、前記情報信号の記録が可能か否かを判別することを特徴とする実施態様３４に記載の記録方法。
【０１６３】
（実施態様４３）  前記制御処理は、前記読み出し処理により読み出された識別情報に基づき、記憶デバイスを識別し、識別した記憶デバイスに対応する表示手段に、前記判別結果に応じた情報を表示することを特徴とする実施態様３４〜４２の何れか１態様に記載の記録方法。
【０１６４】
（実施態様４４）  記録媒体と、前記記録媒体に関する識別情報を保持した保持手段とを一体的に備えた記憶デバイスから情報信号を再生する再生方法であって、前記保持手段に保持された前記識別情報を非接触で読み出す読み出し処理と、前記読み出し処理により読み出された識別情報に基づき、前記記録媒体からの前記情報信号を再生することが可能か否かを判別し、この判別結果に応じた情報を表示するように表示手段を制御する制御処理とを行うことを特徴とする再生方法。
【０１６５】
（実施態様４５）  前記制御処理は、前記記録媒体に関する識別情報と、前記記録媒体に記録された情報信号に関する付加情報とを、前記記憶デバイスごとに対応付けてメモリに書き込み、前記読み出し処理により読み出された識別情報に対応して前記メモリに記憶されている付加情報を、前記メモリより読み出し、読み出した付加情報に基づいて、前記情報信号の再生が可能か否かを判別することを特徴とする実施態様４４に記載の再生方法。
【０１６６】
（実施態様４６）  前記付加情報は、前記情報信号の種類を示す情報を含み、前記制御処理は、前記識別情報に対応して前記メモリに記憶されている前記情報信号の種類を示す情報に基づいて、前記情報信号の種類が、再生可能な種類であるか否かを判別することを特徴とする実施態様４５に記載の再生方法。
【０１６７】
（実施態様４７）  前記付加情報は、前記情報信号が再生プロテクト処理されているか否かを示す情報を含み、前記制御処理は、前記識別情報に対応して前記メモリに記憶されている前記再生プロテクト処理されているか否かを示す情報に基づいて、前記情報信号が再生プロテクト処理されているか否かを判別することを特徴とする実施態様４５または４６に記載の再生方法。
【０１６８】
（実施態様４８）  前記制御処理は、前記情報信号が再生可能か否かに応じて異なる色の情報を表示するように前記表示手段を制御することを特徴とする４５〜４７の何れか１態様に記載の再生方法。
【０１６９】
（実施態様４９）  前記制御処理は、前記読み出し処理により読み出された識別情報が、前記メモリに記憶されていない場合に、その旨を示す情報を表示するように前記表示手段を制御することを特徴とする実施態様４５〜４８の何れか１態様に記載の再生方法。
【０１７０】
（実施態様５０）  前記制御処理は、前記記憶デバイスの挿入口の近傍に設けられた表示手段を制御することを特徴とする実施態様４４〜４９の何れか１態様に記載の再生方法。
【０１７１】
（実施態様５１）  前記制御処理は、前記記録媒体に関する識別情報と、前記記録媒体に記録された情報信号の属性に関する情報とを、前記記憶デバイスごとに対応付けてメモリに書き込み、前記読み出し処理により読み出された識別情報に対応して前記メモリに記憶されている前記情報信号の属性に関する情報を、前記メモリより読み出し、読み出した情報信号の属性に関する情報に基づいて、前記情報信号の再生が可能か否かを判別することを特徴とする実施態様４４に記載の再生方法。
【０１７２】
（実施態様５２）  前記制御処理は、前記読み出し処理により読み出された識別情報に基づき、記憶デバイスを識別し、識別した記憶デバイスに対応する表示手段に、前記判別結果に応じた情報を表示することを特徴とする実施態様４４〜５１の何れか１態様に記載の再生方法。
【０１７３】
（実施態様５３）  記録媒体と、前記記録媒体に関する識別情報を保持した保持手段とを一体的に備えた記憶デバイスに対して情報信号を記録するに際し、前記保持手段に保持された前記識別情報を非接触で読み出す読み出し処理と、前記読み出し処理により読み出された識別情報に基づき、前記記録媒体に対して前記情報信号の記録が可能か否かを判別し、この判別結果に応じた情報を表示するように表示手段を制御する制御処理とをコンピュータに実行させることを特徴とするコンピュータプログラム。
【０１７４】
（実施態様５４）  記録媒体と、前記記録媒体に関する識別情報を保持した保持手段とを一体的に備えた記憶デバイスから情報信号を再生するに際し、前記保持手段に保持された前記識別情報を非接触で読み出す読み出し処理と、前記読み出し処理により読み出された識別情報に基づき、前記記録媒体からの前記情報信号を再生することが可能か否かを判別し、この判別結果に応じた情報を表示するように表示手段を制御する制御処理とをコンピュータに実行させることを特徴とするコンピュータプログラム。
【０１７５】
（実施態様５５）  前記実施態様５３または５４に記載のコンピュータプログラムを記録したことを特徴とするコンピュータ読み取り可能な記録媒体。
【０１７６】
【発明の効果】
以上説明したように本発明によれば、記録媒体と、前記記録媒体に関する識別情報を保持した保持手段とを一体的に備えた記憶デバイスから、前記識別情報を非接触で読み出し、読み出した識別情報に基づき、前記記録媒体に対して情報信号の記録が可能か否かを判別し、この判別結果に応じた情報を表示手段に表示するようにしたので、記録デバイスを本体に装填することなく、前記記録デバイスが使用できるか否かをユーザに判別させることができる。
【０１７７】
また、前記記録媒体に対して情報信号を記録することが可能か否かを非接触で判別するようにしたので、本体に記録媒体が装填されていても、前記装填されている記録媒体と異なる別の記録媒体が使用できるものであるか否かを確認することができる。
【０１７８】
また、前記記録媒体に対して情報信号の記録が可能か否かを判別し、この判別結果に応じた情報を表示するようにしたので、情報信号の記録が不可能な記録媒体が誤装填されることを可及的に防止することができる。
【図面の簡単な説明】
【図１】本発明の第１の実施の形態を示し、デジタルビデオカメラの構成の一例を示したブロック図である。
【図２】本発明の第１の実施の形態を示し、デジタルビデオカメラの概要の一例を示す外観図である。
【図３】本発明の第１の実施の形態を示し、デジタルビデオカメラの撮影モードにおける記録時の動作を説明するフローチャートである。
【図４】本発明の第１の実施の形態を示し、デジタルビデオカメラにおける無線タグを用いた動作を説明するフローチャートである。
【図５】本発明の第１の実施の形態を示し、デジタルビデオカメラの再生モードにおける動作を説明するフローチャートである。
【図６】本発明の第２の実施の形態を示し、デジタルビデオカメラの概要の一例を示す外観図である。
【図７】本発明の第２の実施の形態を示し、デジタルビデオカメラの撮影モードにおける記録時の動作を説明するフローチャートである。
【図８】本発明の第２の実施の形態を示し、デジタルビデオカメラにおける無線タグを用いた動作を説明するフローチャートである。
【符号の説明】
１０１  撮影レンズ
１０１ａ  カメラヘッド
１０２  絞り
１０３  撮像素子
１０４  CDS/AGC
１０５  デジタル信号処理回路
１０６  フレームメモリ
１０７  画素数調整回路
１０８  画像バス
１０９  MPEG/JPEGコーデック
１１０  リムーバブルディスク
１１１  フラッシュメモリカード
１１２  液晶ディスプレイ
１１３  液晶ドライバ
１１４  NTSCエンコーダ
１１５  ビデオ出力
１１６  無線タグ読み取り装置
１１７  タグデータメモリ
１１８  操作キー
１１９  メインマイコン
１２０  モードダイヤル
１２１  インジケータ
【図１】
2004201233.tif 000003
【図２】
2004201233.tif 000004
【図３】
2004201233.tif 000005
【図４】
2004201233.tif 000006
【図５】
2004201233.tif 000007
【図６】
2004201233.tif 000008
【図７】
2004201233.tif 000009
【図８】
2004201233.tif 000010